(57)【特許請求の範囲】
【請求項１】
音源の数だけのチャンネル数を持つ記録再生部と、前記チャンネル毎に１つ以上備えたスピーカーとの間に、マルチチャンネルプロセッサーを設け、該マルチチャンネルプロセッサーは、上記チャンネル数の各チャンネル毎のマイクロフォンやシンセサイザーからのオーディオ信号やＭＩＤＩ信号の出力信号を切り替えたり混合する入力切り替え選択混合コントロール部と、各チャンネルのオーディオ信号をそれぞれ加工し、種々の効果を出すエフェクト部と、上記チャンネル数のどのチャンネルの音をどのスピーカーに出力するかをセットするスイッチヤー部と、上記チャンネル数のプリアンプ部と、メインアンプ部とからなり、かつ、上記チャンネル数に対応したスピーカーの数のスピーカー出力線用のコネクターを備えていることを特徴とする電子音響装置。
【発明の詳細な説明】
【０００１】
【発明の属する技術分野】
本発明は、家庭、コンサートホール、野外などにおいて、生演奏に近い、又はそれ以上の効果を有する音場を記録、発生、再生できる電子音響装置に関するものである。
【０００２】
【従来の技術】
従来の“ステレオ”などの音響装置は、音楽ソースをレコード、磁気テープ、ＣＤ等の記録媒体に記録したものやシンセサイザーからの音を再生するためのものである。これらは原理的には左右２系統（２チャンネル）のマイクロフォンによってピックアップされた音（又はシンセサイザーなどによって作られた２系統にミックスした音）を録音し、対応した２系統（２チャンネル）のスピーカーから出力し、音場を再現していた。
【０００３】
尤も、映画館用の音響システムは数チャンネルを使用して自動車や列車が走り去る音の状況を作り出せるようになっているが、原理的には音の位置を決める方法は２チャンネルと同じである。つまり、２つのスピーカーから出る音の強さや位相の差によって音の位置や音場を作り出している。
【０００４】
しかして、オーケストラのように数十、百数十の楽器（音源）から出された音はミックスして２チャンネルの信号として録音し、これを再生するときは、２チャンネルの音を２チャンネルのスピーカーによって恰も数十、百数十の楽器（音源）が目前に有るように擬似的に再生していた。また、いろいろな楽器の音（音源）を人工的に作り出すシンセサイザーにより多数発生させた音源もミキサー等によって２系統（２チャンネル）の音にミックスダウンして録音し、上記同様に再生していた。
【０００５】
【発明が解決しようとする課題】
しかしながら、総ての音源が２チャンネルの信号として記録され、再生されるため、例えば、バイオリンの松脂を塗った弓と弦のこすれる感じのような繊細な音や、迫力の有る音などを再現するのには無理があり、生演奏でなくては到底聴けないものであった。また、２チャンネルで上記原理により再生されるため、音源の明瞭度や位置の明確さが無く、音が広がり過ぎたり、音が中間で抜けたりして不安定であった。特に、音量（ボリーム）の大小や聴く位置の違いによってこれらの現象が目立って起こってくる。
【０００６】
上記の点に鑑み、本発明は、オーケストラやアンサンブルなどを構成する楽器（音源）の１つ１つを個々に記録、再生し、繊細にして迫力が有り、かつ位置が明瞭な音、音場作りができるようにし、上記の問題点を無くすようにした電子音響装置を提供することを目的としている。
【０００７】
【課題を解決するための手段】
上記目的を達成するため、本発明は、音源の数だけのチャンネル数を持つ記録再生部と前記チャンネル毎に１つ以上備えたスピーカーとの間に、マルチチャンネルプロセッサーを設け、該マルチチャンネルプロセッサーは、上記チャンネル数の各チャンネル毎のマイクロフォンやシンセサイザーからのオーディオ信号やＭＩＤＩ信号の出力信号を切り替えたり混合する入力切り替え選択混合コントロール部と、各チャンネルのオーディオ信号をそれぞれ加工し、種々の効果を出すエフェクト部と、上記チャンネル数のどのチャンネルの音をどのスピーカーに出力するかをセットするスイッチヤー部と、上記チャンネル数のプリアンプ部と、メインアンプ部とからなり、かつ、上記チャンネル数に対応したスピーカーの数のスピーカー出力線用のコネクターを備えていることを特徴とし、該スピーカーを壁面や床、天井などに自由に目的の場所に配置することにより、つまり音源を空間的に実際に配置することによって音場を再現又は新たに作るものである。従って、ホールや家庭や野外等において生演奏に限り無く近い音場が再現できるように構成している。
【０００９】
【発明の実施の形態】
以下、本発明を添付の図面に基づいて説明する。図１は本発明を模式的に示した説明図、図２はプロセッサーの一例を示した説明図、図３はプロセッサーに大音量カット安全装置を付加した場合の説明図である。
【００１０】
図において、１はオーケストラの編成を模式的に示している。オーケストラ１の編成の仕方には種々あるが、大方、バイオリン、ビオラ、チェロ、コントラバス、ハープからなる弦楽器と、トランペット、クラリネット、フルート、トロンボーン、ファゴット、オーボエからなる管楽器と、ティンパニーなどからなる打楽器とからなり、各楽器の総てが重要な音源２1 、２2 …２n として編成されている。該音源２1 、２2 …２n のそれぞれ数は図面上では表現されていないが、多数の楽器により構成されている。
【００１１】
前記音源２1 、２2 …２n から発された音は、該音源の数だけ備えたマイクロフォン３1 、３2 …３n を通して集音され、マイクロフォン用プリアンプ４1 、４2 …４n に入り、規定のレベルのオーディオ信号（アナログ信号又はディジタル信号）に調整されると同時に、それぞれのチャンネル毎にＭＩＤＩ信号を付加され（付加されなくてもよい）、その音源２1 、２2 …２n の数だけのチャンネル数だけのマルチチャンネル記録再生装置（記録方式はアナログ方式又はディジタル方式）５にて記録されるようになっている。
【００１２】
前記マルチチャンネル記録再生装置５は記録時及び再生時に上記チャンネル数のチャンネルが分離独立できて上記チャンネルが見掛け上それぞれ同時に記録再生できるように十分な記録、再生パッファを持っているので、物理的に上記チャンネル数だけの記録トラックを並列にもっている必要はない。
【００１３】
そしてマルチチャンネル記録再生装置５は、マルチチャンネルの記録媒体（磁気テープ、ＣＤ、ハードディスク、メモリーカード等）を作成することができ、それを再生することができる。
【００１４】
なお、本実施態様に示す図は、論理的概念図であるので、オーケストラを編成した状態で同時に録音している場合を示しているが、実際は時間的にも空間的にも各音源毎に別々に録音してもよいことは勿論である。
【００１５】
前記音源は、図１、図２の如く、シンセサイザー（俗にいう音源やサンプラーなども含む）６から取り出したものであってもよい。シンセサイザー６はいろいろな音を奏者の意図に応じて、或いはコンピューターの司令（シーケンサー）にしたがって発生できる回路網を持っている電子楽器であり、該シンセサイザー６からオーディオ信号とＭＩＤＩ信号を取り出して上記同様に記録再生できるようになっている。
【００１６】
本発明において示したシンセサイザー６の特徴は、楽器（ティンバー）の数だけ同時に独立して出力できるポートを持っていることである。しかし、在来の数ポートのものでもマルチチャンネル記録再生装置５で必要な楽器数だけ繰り返し記録（録音）することができるので、再生するときは必要な楽器が総て同時に再生できるようになっている。
【００１７】
前記マルチチャンネル記録再生装置５に記録されたオーディオ信号（ＭＩＤＩ信号）は、同装置で再生され、図１、図２の如くプロセッサー（コントローラ、エフェクター、スイッチャー、プリアンプ、出力アンプ、必要に応じて大音量カット安全装置等を含む）７を経、スピーカー８1 、８2 …８n から放出される。該スピーカー８1 、８2 …８n は、音源２1 、２2 …２n の数だけのチャンネル毎に１つ以上備えられている。即ち、音源が例えば１２０個であれば、スピーカーの数も１２０個またはそれ以上の数となる。
【００１８】
また、前記マルチチャンネル記録再生装置５はマイクロフォンやシンセサイザーからの音を記録や再生回路を通さないで素通し（バイパス）し、プロセッサー（コントローラ、エフェクター、スイッチャー、プリアンプ、出力アンプ、必要に応じて大音量カット安全装置等を含む）７を経、スピーカー８1 、８2 …８n から放出されるようにすることも可能である。
【００１９】
前記プロセッサー７は、当然、マルチチャンネルプロセッサーであり、上記チャンネル数の各チャンネルそれぞれは独立して同時に処理できる。該プロセッサー７は図２の如く、マイクロフォン２やシンセサイザー６からのオーディオ信号やＭＩＤＩ信号の出力信号を切り替えたり、混合したりする入力切り替え選択混合コントロール部７ａ、各チャンネルのオーディオ信号をそれぞれ加工し、種々の効果を出すエフェクト部７ｂ、上記チャンネル数分のどのチャンネルの音をどのスピーカーに出力するかをセットするスイッチヤー部（音源毎に付加されたチャンネル指定信号によってスイッチングさせる。これはチャンネル指定信号によらないでもよい。当然、手動スイッチでもよい。）７ｃ、同じく上記チャンネル数分のプリアンプ部７ｄ、メイン（出力）アンプ部７ｅとからなり、上記チャンネル数に対応したスピーカーの数分のスピーカー出力線用のコネクターを備えていることを特徴としている。
【００２０】
前記プロセッサー７の各部７ａ〜７ｅはそれぞれ独立したモジュールになっていて物理的に分離されていて、それぞれの間は上記チャンネル数の有線か無線で結合されていてもよい。
【００２１】
さらに、前記プロセッサー７では、或るチャンネル（複数でも可）のアンプやスピーカーの出力が不足する場合に、その出力不足のアンプまたはスピーカーを中心とした周辺のチャンネルのアンプやスピーカーに出力を補ってもらえるようにセットできることも大きな特徴である。
【００２２】
前記プリアンプ部７ｄとメイン（出力）アンプ部７ｅとの間に、図３の如く、スピーカー群が人間の許容範囲を超えた大きな音を発生するのを防ぐための大音量カット安全装置を介入することもある。該安全装置は或る適切な時間内での各チャンネル毎の音のレベルの総和（全チャンネル分）を計算するコントロール部７ｆと、実際にチャンネルをカットするスイッチ部７ｇとからなる。なお、スイッチ部７ｇはメインアンプ部７ｅの出力側に取り付けることにより安全性をより高めることができる。
【００２３】
前記コントロール部７ｆは計算等に必要なコントロール時間によっては各チャンネル毎に信号遅延部７ｈの機能を持たせることができる。全チャンネルをカットするか、部分カットにするかはコントロール方法による。また、どのように復帰させるかもコントロール方法による。
【００２４】
さらに、本発明の特徴は、２チャンネル録音、２チャンネル再生の原理を使った今までの方法も包括できることである。従って、今までのシステムを本システムの内外に併用することもでき、相乗的に効果を高められる。特に、残響の効果は本発明のシステムの特異とするところである。
【００２５】
従って、家庭、コンサートホール、野外などのスピーカーの配置は目的によって自由に変更（物理的な移動と、入力端子への差し替えにより移動も含む）できるようにしておくとよい。
【００２６】
次に、本願装置の使用モードについて述べる。
（１）実際の音源（楽器）がある場合
ａ）記録（録音）モード
音源（楽器）２1 →マイク３1 →記録再生装置５
音源（楽器）２2 →マイク３2 →記録再生装置５
音源（楽器）２3 →マイク３3 →記録再生装置５
……              ……        ……
音源（楽器）２n →マイク３n →記録再生装置５
【００２７】
ｂ）再生モード
記録再生装置５1 →プロセッサー７→スピーカー８1 
記録再生装置５2 →プロセッサー７→スピーカー８2 
記録再生装置５3 →プロセッサー７→スピーカー８3 
……              ……            ……
記録再生装置５n →プロセッサー７→スピーカー８n 
又は
音源（楽器）２1 →マイク３1 →プロセッサー７→スピーカー８1 
音源（楽器）２2 →マイク３2 →プロセッサー７→スピーカー８2 
音源（楽器）２3 →マイク３3 →プロセッサー７→スピーカー８3 
……            ……          ……            ……
音源（楽器）２n →マイク３n →プロセッサー７→スピーカー８n 
【００２８】
（２）シンセサイザー等の音源（楽器）の場合における記録モードと再生モードは次のようになる。
ａ）記録モード
音源（シンセサイザー）→シンセ用エフェクター→記録再生装置５
音源（シンセサイザー）→シンセ用エフェクター→記録再生装置５
音源（シンセサイザー）→シンセ用エフェクター→記録再生装置５
……                        ……            ……
音源（シンセサイザー）→シンセ用エフェクター→記録再生装置５
【００２９】
ｂ）再生モード
記録再生装置５→プロセッサー７→スピーカー８1 
記録再生装置５→プロセッサー７→スピーカー８2 
記録再生装置５→プロセッサー７→スピーカー８3 
……              ……            ……
記録再生装置５→プロセッサー７→スピーカー８n 
又は
音源（シンセサイザー）→プロセッサー７→記録再生装置５
音源（シンセサイザー）→プロセッサー７→記録再生装置５
音源（シンセサイザー）→プロセッサー７→記録再生装置５
……                        ……            ……
音源（シンセサイザー）→プロセッサー７→記録再生装置５
【００３０】
上記再生モードでは、音源とスピーカーの接続の組み合わせをプロセッサーやシーケンサーなどで瞬時に組み替えることもできる。例えば、音楽の途中から楽器の編成をガラッと替えることも可能である。
【００３１】
【発明の効果】
以上の如く、本発明は、音源の数だけのチャンネル数を持つ記録再生部と、前記チャンネル毎に１つ以上備えたスピーカーとの間に、マルチチャンネルプロセッサーを設け、該マルチチャンネルプロセッサーは、上記チャンネル数の各チャンネル毎のマイクロフォンやシンセサイザーからのオーディオ信号やＭＩＤＩ信号の出力信号を切り替えたり混合する入力切り替え選択混合コントロール部と、各チャンネルのオーディオ信号をそれぞれ加工し、種々の効果を出すエフェクト部と、上記チャンネル数のどのチャンネルの音をどのスピーカーに出力するかをセットするスイッチヤー部と、上記チャンネル数のプリアンプ部と、メインアンプ部とからなり、かつ、上記チャンネル数に対応したスピーカーの数のスピーカー出力線用のコネクターを備えていることを特徴としているから、各スピーカーは自由な処に自由に配置できるので、実際の音源の並びにも、また、実際の音源を目的によって並び替えたのと同じことができ、全く新しいジャンルの音楽を作り出すことができるという今までの音響装置には得られない効果を得ることができる。
【００３２】
また、音源（楽器）の特性に合ったスピーカーをそれぞれ簡単にセットできるので、生演奏に限り無く近い、繊細にして迫力のある音場を作ることができる優れた効果を奏するものである。
【００３３】
さらに、スピーカーの形をそれぞれの楽器の形にデザインしたり、ロボット人形が演奏しているようにすれば視覚的な効果が出て更に新しい効果が発生するものである。
【００３４】
そして、通常、多チャンネル録音などの場合はミキサーによるミックスダウンの合成操作・作業が必要になるが、本発明ではこれを省略することができるという効果を奏するものである。
【００３５】
さらにまた、音源の数だけのチャンネル数を持った記録、及び記録媒体の作成と、その再生が可能であるので、それぞれの音を単独で後から加工することができる。従って、本発明による音、音楽のデーターは付加価値を増すことができ、データーベースを構築する上でその利用価値を非常に高めることができる。
【００３６】
さらにまた、本発明のシステムの中の機械的な可動部分を有する外部記録装置とメインアンプ（出力アンプ）を除き、数チップないし１チップに集積することが可能である。
【図面の簡単な説明】
【図１】本発明を模式的に示した説明図である。
【図２】プロセッサーの一例を示した説明図である。
【図３】プロセッサーに大音量カット安全装置を付加した場合の説明図である。
【符号の説明】
１  オーケストラ
２1 、２2 …２n   音源（楽器）
３1 、３2 …３n   マイクロフォン（マイク）
４1 、４2 …４n   マイクロフォン用プリアンプ
５  マルチチャンネル記録再生装置
６  シンセサイザー
７  プロセッサー（コントローラ、エフェクター、スイッチャー、プリアンプ、出力アンプ等を含む）
８1 、８2 …８n   スピーカー
【図１】
0004097726.tif 000002
【図２】
0004097726.tif 000003
【図３】
0004097726.tif 000004